(57)【要約】      （修正有）【課題】電気湯たんぽの発熱体の端子に確実に挿着させて通電するプラグに、確実に挿着した確認ができる点灯と、湯たんぽの設定温度到達を確認ができる消灯を行う電気湯たんぽのスイッチプラグを提供する。【解決手段】電気湯たんぽ３００内の液体３１２を加熱する発熱体３１１の端子３１０と挿着して通電するプラグ１１０であって、前記プラグ１１０には前記端子３１０との確実な挿着によって起動するスイッチ２１０と、前記プラグ１１０と前記端子３１０との確実な通電接続を点灯によって確認可能とし、前記発熱体３１１で設定する温度到達によって消灯する発光部２２０とを有する安全スイッチ手段を設けたことを特徴とする。【選択図】図３
0003151407.tif 000002
【実用新案登録請求の範囲】
【考案の詳細な説明】
【技術分野】
【０００１】  本考案は、電気湯たんぽのスイッチプラグに関する。
【背景技術】
【０００２】  従来の電気湯たんぽのプラグには、着脱自在の接続プラグと電源プラグを有する電源供給部分で構成され、蓄熱体の温度を制御する為のサーモスッタットを設けたものがあった。
一方、実用新案登録第３１０８０６８号公報には、蓄熱液を溜める六角形の容器（１）の中に電熱ヒータ（１０）が内設され、その容器（１）の上面に設けられるコネクター（７）にプラグ（６）を嵌着して通電される電気加熱式湯たんぽが提供されている（特許文献１）。
また実用新案登録第３１１１２２２号公報には、六角形の防水布製の容器（１）の中に蓄熱液（１７）を貯留し、アーム（２２）を形成した膨張検出装置（２０）のヘッド部（２２）に電源プラグ（６）を設け、前記容器（１）の上面に設けたコネクター（７）に前記アーム（２２）を下げて前記電源プラグ（６）を嵌着して、該容器（１）内に設けた電気加熱装置（１０）の前記蓄熱液（１７）を加熱すると共に、前記容器（１）内で発生したガスによる容器（１）の膨張を検出して通電を自動的に止めるようにした電気湯たんぽが提供されている（特許文献２）。
【特許文献１】  実用新案登録第３１０８０６８号公報
【特許文献２】  実用新案登録第３１１１２２２号公報
【考案の開示】
【考案が解決しようとする課題】
【０００３】  上記従来の電気湯たんぽのプラグの場合は、接続プラグに電源プラグを嵌着する際に、接続プラグと電源プラグとが正確に差し込まれていないと接続が不完全となり、その不完全な接続部が発熱し発火する問題があった。
上記特許文献１に示す電気加熱式湯たんぽは、コネクター（７）にプラグ（６）を差し込む際に、正確に差し込まれていない場合には接続部分から発熱し発火する問題があった。
上記特許文献２に示す電気湯たんぽは、アーム（２２）のヘッド部（２２）に電源プラグ（６）が形成されているので、前記容器（１）の上面に設けたコネクター（７）に電源プラグ（６）を差し込んだ後に、アーム（２２）が浮き上がり正確に差し込まれていない状態となって接続部分から発熱し発火する問題があった。【０００４】  そこで本考案は上記のような従来技術の問題を解消し、電気湯たんぽの発熱体の端子に確実に挿着させて通電するプラグに、確実に挿着した確認ができる点灯と、湯たんぽの設定温度到達を確認ができる消灯を行う電気湯たんぽのスイッチプラグの提供を課題とする。
【課題を解決するための手段】
【０００５】  上記課題を達成するため本考案の電気湯たんぽのスイッチプラグは、湯たんぽ内の液体を加熱する発熱体の端子と挿着して通電するプラグであって、
前記プラグには前記端子との確実な挿着によって起動するスイッチと、前記プラグと前記端子との確実な通電接続を点灯によって確認可能とし、前記発熱体で設定する温度到達によって消灯する発光部とを有する安全スイッチ手段を設けたことを第１の特徴としている。
また本考案の電気湯たんぽのスイッチプラグは、上記第１の特徴に加えて、安全スイッチ手段は、前記プラグを前記端子に確実に挿着することで起動するスイッチにマイクロスイッチと、通電接続を確認する点灯と設定温度到達によって消灯する発光部に赤色発光ダイオードとを用いて構成したことを第２の特徴としている。
【考案の効果】
【０００６】  請求項１に記載の電気湯たんぽのスイッチプラグによれば、湯たんぽ内の液体を加熱する発熱体の端子と挿着して通電するプラグであって、前記プラグには前記端子との確実な挿着によって起動するスイッチと、前記プラグと前記端子との確実な通電接続を点灯によって確認可能とし、前記発熱体で設定する温度到達によって消灯する発光部とを有する安全スイッチ手段を設けたので、
前記プラグを前記端子に挿入することで、前記安全スイッチ手段がスイッチの当接点に到達することで通電させることができ、その接続を通電点灯によって確認することができる。
よって前記プラグを前記端子に正確に挿着された状態で通電すると共に、発光部の点灯によって可視化されて確認することができるので、不完全な接続で発熱し発火する危険を無くし安全に通電接続することができる。
また前記発熱体で設定する温度到達によって消灯するので、前記プラグを前記端子から外すことで、連続して加熱する温度上昇の危険を無くしている。【０００７】  また請求項２に記載の電気湯たんぽのスイッチプラグによれば、請求項１に記載の構成による作用効に加えて、安全スイッチ手段は、前記プラグを前記端子に確実に挿着することで起動するスイッチにマイクロスイッチと、通電接続を確認する点灯と設定温度到達によって消灯する発光部に赤色発光ダイオードとを用いて構成したので、
前記マイクロスイッチを用いたことで前記スイッチプラグをコンパクトに軽量形成し、前記プラグと前記端子とを着脱することで、該マイクロスイッチの底部に突出する当接スイッチ板は連動して当接して通電の入り切りを行うことができる。
前記発光部は、赤色発光ダイオードを用いたことで省電力や長寿命を得ることができ、点灯によって、前記プラグと前記端子との確実な接続の確認を行うことができる。
また前記発熱体の内設された装置で設定された温度到達で消灯することで、前記プラグと前記端子とを外し蓄熱で電気湯たんぽを使用することができる。
【考案を実施するための最良の形態】
【０００８】  以下の図面を参照して、本考案の実施形態に係る電気湯たんぽの安全スイッチプラグについて説明する。
図１は本考案の実施形態に係る電気湯たんぽのスイッチプラグを示す斜視図、図２は本考案の実施形態に係るスイッチプラグの要部を示す側面図。図３は本考案のプラグと端子との挿着による通電状態のスイッチプラグを示す断面図である。【０００９】  図１を参照して、本発明のスイッチプラグ１００は、プラグ１１０と、安全スイッチ手段２００とからなり、
スイッチプラグ１００は、中空の長方体となるプラグケース１００ａに形成され、
長手方向の先端側底面に前記プラグ１１０を設け、内部に前記安全スイッチ手段２００を設けている。【００１０】  プラグ１１０は、ハート形の突起形状であって、前記発熱体３１１の前記端子３１０に挿着して通電できるよう、該端子３１０に合致する三つ穴のプラグ孔１１０ｂを形成している。
プラグ１１０は、前記端子３１０から外すことで電気湯たんぽへの加熱途中でも通電を切ることができる。また前記電気湯たんぽ３００の発熱体３１１で設定する温度到達で前記赤色発光ダイオード２２１が消灯して、前記電気湯たんぽ３００の蓄熱状態を確認できることで外すことができる。【００１１】  前記安全スイッチ手段２００は、前記プラグを前記端子に正確に挿着された状態で通電ができるスイッチ２１０と、発光部２２０とで構成される。【００１２】  スイッチ２１０は、前記スイッチプラグ１００をコンパクトに軽量形成でき、正確に通電の入り切りが行えるマイクロスイッチ２１１を用いられる。
これにより前記スイッチプラグ１００にスペースをつくることができ、前記発光部２２０が設けられる。【００１３】  マイクロスイッチ２１１は、長方体に形成され前記スイッチプラグ１００の前記プラグケース１００ａに内設される。そして該プラグケース１００ａの内部から外部底面に突出させた当接スイッチ板２１１ａを設けている。
それによって前記プラグ１１０を前記端子３１０に挿入することで、外部底面に突出した該当接スイッチ板２１１ａが連動し、上部の前記マイクロスイッチ２１１へ押し込まれるようになって該マイクロスイッチ２１１が入り通電させることができる。【００１４】  発光部２２０は、省電力で明るく長寿命を得ることができる赤色発光ダイオード２１ａを用いられる。【００１５】  赤色発光ダイオード２２１は、前記プラグケース１００ａの内部に設けられ、該プラグケース１００ａの内部から外部に該赤色発光ダイオード２２１の頭部を少し突出させ、可視し易く構成されている。
よって前記プラグを前記端子に正確に挿着された状態で、マイクロスイッチ２１１が入り通電起動して前記赤色発光ダイオード２２１が点灯するようになるので、その点灯によって正確に挿着接続されていることを確認できる。
また赤色発光ダイオード２２１は、前記プラグ１１０と前記端子３１０とを通常は通電状態で接続されているが、接続後、前記電気湯たんぽ３００の発熱体３１１で設定する温度に到達することで消灯するようになる。
これにより前記電気湯たんぽ３００は蓄熱され、前記端子３１０から前記プラグ１１０を外して使用することができる。【００１６】  湯たんぽ３００は、その形状を楕円状で形成している。
湯たんぽ３００は、前記容器３０１ａの内部に前記液体３１２と、前記発熱体３１１とを密封して構成される。
湯たんぽ３００は、前記容器３０１ａの上面に前記端子３１０を形成し、前記容器３０１ａ内部の前記発熱体３１１と接続されている。【００１７】  容器３００ａは、その容器３０１ａの形状は楕円状で形成している。
そして容器３００ａは、高温や破損などに耐久性を高めるため、例えば、その材質にポリ塩化ビニルの３層構造で形成している。【００１８】  端子３１０は、楕円形状にハート形枠を形成し３本の端子３１０を植設して構成される。
これによって前記端子３１０に前記プラグ１１０を挿着して通電接続することができる。【００１９】  発熱体３１１は、２本の対向する通電棒３１１ａと、その間に前記容器３００ａ内の前記液体３１２の温度を感知する温度センサー３１１ｂとを設けて構成される。【００２０】  液体３１２は、弱塩化ナトリュウム水溶液を用いて前記容器３００ａに封入される。【００２１】  上記のような構成において、前記スイッチプラグ１００の取付作業を説明する。
湯たんぽ３００の容器３００ａ上面に設けた前記端子３１０に、前記スイッチプラグ１００の前記プラグ１１０を挿入し、該プラグ１１０の底面が前記端子３１０の枠底部と当接するまで押圧することで、前記スイッチプラグ１００の底面から突出する前記当接スイッチ板２１１ａが押し込まれてスイッチが入り通電するようになる。そして通電と同時に前記スイッチプラグ１００の上面の赤色発光ダイオード２２１ａが点灯することで通電を確認することができる。
それによって前記プラグ受け端子と前記スイッチプラグ１００とが正確に差し込まれ、接続部分から発熱する危険なくすことができる。
また電気湯たんぽに加熱途中で通電を切る場合は、前記スイッチプラグ１００を前記端子３１０から挿着の時と反対方向に手で抜くことで、前記前記当接スイッチ板２１１ａが通電状態から離脱し通電を切ることができる。
【図面の簡単な説明】
【００２２】
【図１】  本考案の実施形態に係る電気湯たんぽのスイッチプラグを示す斜視図である。
【図２】  本考案の実施形態に係るスイッチプラグの要部を示す側面図である。
【図３】  本考案のプラグと端子との挿着による通電状態のスイッチプラグを示す側面図である。
【符号の説明】
【００２３】    １００    スイッチプラグ
１００ａ  プラグケース
１１０    プラグ
１１０ａ  プラグ孔
２００    安全スイッチ手段
２１０    スイッチ
２１１    マイクロスイッチ
２１１ａ  当接スイッチ板
２２０    発光部
２２１    赤色発光ダイオード
３００    電気湯たんぽ
３００ａ  容器
３１０    端子
３１１    発熱体
３１１ａ  通電棒
３１１ｂ  温度センサー
３１２    液体
【図１】
0003151407.tif 000003
【図２】
0003151407.tif 000004
【図３】
0003151407.tif 000005
【手続補正書】
【提出日】平成21年3月19日(2009.3.19)
【手続補正１】
【補正対象書類名】実用新案登録請求の範囲
【補正対象項目名】全文
【補正方法】変更
【補正の内容】
【実用新案登録請求の範囲】
【請求項１】
電気湯たんぽ内の液体を加熱する発熱体の端子と挿着して通電するプラグであって、前記プラグには前記端子との確実な挿着によって起動するスイッチを設け、前記プラグは前記端子との確実な通電接続によって点灯と、前記発熱体が設定する温度到達によって消灯する発光部を有する安全スイッチ手段を設けたことを特徴とする電気湯たんぽのスイッチプラグ。
【請求項２】
安全スイッチ手段は、前記プラグを前記端子に確実に挿着することで起動するスイッチにマイクロスイッチと、通電接続を確認する点灯と設定温度到達によって消灯する発光部に赤色発光ダイオードとを用いて構成したことを特徴とする請求項１に記載の電気湯たんぽのスイッチプラグ。
【手続補正２】
【補正対象書類名】明細書
【補正対象項目名】０００５
【補正方法】変更
【補正の内容】
【０００５】上記課題を達成するため本考案の電気湯たんぽのスイッチプラグは、電気湯たんぽ内の液体を加熱する発熱体の端子と挿着して通電するプラグであって、前記プラグには前記端子との確実な挿着によって起動するスイッチを設け、前記プラグは前記端子との確実な通電接続によって点灯と、前記発熱体が設定する温度到達によって消灯する発光部を有する安全スイッチ手段を設けたことを第１の特徴としている。
また本考案の電気湯たんぽのスイッチプラグは、上記第１の特徴に加えて、安全スイッチ手段は、前記プラグを前記端子に確実に挿着することで起動するスイッチにマイクロスイッチと、通電接続を確認する点灯と設定温度到達によって消灯する発光部に赤色発光ダイオードとを用いて構成したことを第２の特徴としている。
【手続補正３】
【補正対象書類名】明細書
【補正対象項目名】０００６
【補正方法】変更
【補正の内容】
【０００６】請求項１に記載の電気湯たんぽのスイッチプラグによれば、電気湯たんぽ内の液体を加熱する発熱体の端子と挿着して通電するプラグであって、前記プラグには前記端子との確実な挿着によって起動するスイッチを設け、前記プラグは前記端子との確実な通電接続によって点灯と、前記発熱体が設定する温度到達によって消灯する発光部を有する安全スイッチ手段を設けたので、
前記プラグを前記端子に挿入することで、前記安全スイッチ手段がスイッチの当接点に到達することで通電させることができ、その接続を通電点灯によって確認することができる。
よって前記プラグを前記端子に正確に挿着された状態で通電すると共に、発光部の点灯によって可視化されて確認することができるので、不完全な接続で発熱し発火する危険を無くし安全に通電接続することができる。
また前記発熱体で設定する温度到達によって消灯するので、前記プラグを前記端子から外すことで、連続して加熱する温度上昇の危険を無くしている。